【手続補正書】
【提出日】平成30年7月5日(2018.7.5)
【手続補正１】
【補正対象書類名】特許請求の範囲
【補正対象項目名】全文
【補正方法】変更
【補正の内容】
【特許請求の範囲】
【請求項１】
０．４０〜９９．８２重量％のシス−１，１，１，４，４，４−ヘキサフルオロ−２−ブテン（Ｚ−ＨＦＯ−１３３６ｍｚｚｍ）及び０．１８〜９９．６０重量％のトランス−１，１，１−トリフルオロ−３−クロロプロペン（Ｅ−ＨＣＦＯ−１２３３ｚｄ）を含む共沸混合物様組成物を含む発泡剤を含む独立気泡の熱硬化性フォームであって、前記共沸混合物様組成物が１５０以下の地球温暖化係数（ＧＷＰ）及び０．５以下のオゾン層破壊係数（ＯＤＰ）を有する、フォーム。
【請求項２】
前記共沸混合物様組成物が０．４０〜６４．４６重量％のＺ−ＨＦＯ−１３３６ｍｚｚｍ及び３５．５４〜９９．６０重量％のＥ−ＨＣＦＯ−１２３３ｚｄを含む、請求項１に記載のフォーム。
【請求項３】
前記共沸混合物様組成物が０．４０〜３４．３４重量％のＺ−ＨＦＯ−１３３６ｍｚｚｍ及び６５．６６〜９９．６０重量％のＥ−ＨＣＦＯ−１２３３ｚｄを含む、請求項１に記載のフォーム。
【請求項４】
前記共沸混合物様組成物が０．４０〜２４．４４重量％のＺ−ＨＦＯ−１３３６ｍｚｚｍ及び７５．５６〜９９．６０重量％のＥ−ＨＣＦＯ−１２３３ｚｄを含む、請求項１に記載のフォーム。
【請求項５】
前記共沸混合物様組成物が０．４０〜１２．２６重量％のＺ−ＨＦＯ−１３３６ｍｚｚｍ及び８７．７４〜９９．６０重量％のＥ−ＨＣＦＯ−１２３３ｚｄを含む、請求項１に記載のフォーム。
【請求項６】
前記共沸混合物様組成物が１．１８〜７．０５重量％のＺ−ＨＦＯ−１３３６ｍｚｚｍ及び９２．９５〜９８．８２重量％のＥ−ＨＣＦＯ−１２３３ｚｄを含む、請求項１に記載のフォーム。
【請求項７】
前記共沸混合物様組成物が１０重量％までのＺ−ＨＦＯ−１３３６ｍｚｚｍ及びＥ−ＨＣＦＯ−１２３３ｚｄを含む、請求項１に記載のフォーム。
【請求項８】
前記発泡剤が、１，１−ジフルオロエタン（ＨＦＣ−１５２ａ）；１，１，１，３，３−ペンタフルオロプロパン（ＨＦＣ−２４５ｆａ）；１，１，１，３，３−ペンタフルオロブタン（ＨＦＣ−３６５ｍｆｃ）；１，１，１，２−テトラフルオロエタン（ＨＦＣ−１３４ａ）；及び１，１，２，２−テトラフルオロエタン（ＨＦＣ−１３４）の１以上をさらに含む、請求項１〜７のいずれかに記載のフォーム。
【請求項９】
前記発泡剤が５０以下のＧＷＰを有する、請求項１〜８のいずれかに記載のフォーム。
【請求項１０】
前記発泡剤が０．１以下のＯＤＰを有する、請求項１〜９のいずれかに記載のフォーム。
【請求項１１】
前記フォームがポリウレタン又はポリイソシアヌレートフォームである、請求項１〜１０のいずれかに記載のフォーム。
【請求項１２】
前記フォームが、硬質フォーム、軟質フォーム、又はスキン層付きフォームである、請求項１１に記載のフォーム。
【請求項１３】
前記フォームが硬質フォームである、請求項１２に記載のフォーム。
【請求項１４】
前記フォームがブロック、スラブ、積層体、現場注入パネル、噴霧適用フォームまたは泡の形態である、請求項１１に記載のフォーム。
【請求項１５】
前記フォームが噴霧適用フォームである、請求項１４に記載のフォーム。
【請求項１６】
前記フォームが０．５ｌｂ／ｆｔ３〜４０ｌｂ／ｆｔ３の密度を有する、請求項１〜１５のいずれかに記載のフォーム。
【請求項１７】
前記フォームが電気器具用フォームである、請求項１〜１６のいずれかに記載のフォーム。
【請求項１８】
前記電気器具用フォームが、冷蔵庫用フォーム、冷凍庫用フォーム、または冷蔵庫/冷凍庫用フォームである、請求項１７に記載のフォーム。
【請求項１９】
少なくとも１種のフォーム形成成分及び請求項１〜１０のいずれかに記載の共沸混合物様組成物を含む発泡剤を含む独立気泡の熱硬化性フォームを形成するために発泡性である発泡性組成物。
【請求項２０】
前記少なくとも１種のフォーム形成成分がポリオールまたはポリオールの混合物を含む、請求項１９に記載の発泡性組成物。
【請求項２１】
請求項１〜１０のいずれかに記載の共沸混合物様組成物を含む発泡剤を発泡性組成物に加えることを含む独立気泡の熱硬化性フォームを形成する方法。
【請求項２２】
前記フォームが請求項１１〜１８のいずれかに記載のフォームである、請求項２１に記載の方法。
【請求項２３】
０．４０〜９９．８２重量％のシス−１，１，１，４，４，４−ヘキサフルオロ−２−ブテン（Ｚ−ＨＦＯ−１３３６ｍｚｚｍ）及び０．１８〜９９．６０重量％のトランス−１，１，１−トリフルオロ−３−クロロプロペン（Ｅ−ＨＣＦＯ−１２３３ｚｄ）を含む共沸混合物様組成物を含む発泡剤組成物の、独立気泡の熱硬化性フォームの製造における使用であって、前記共沸混合物様組成物が１５０以下の地球温暖化係数（ＧＷＰ）及び０．５以下のオゾン層破壊係数（ＯＤＰ）を有する、使用。
【請求項２４】
前記共沸混合物様組成物が、請求項２〜１０のいずれかに記載の共沸混合物様組成物である、請求項２３に記載の使用。
【請求項２５】
前記フォームが請求項１１〜１８のいずれかに記載のフォームである、請求項２３または２４に記載の使用。
【手続補正２】
【補正対象書類名】明細書
【補正対象項目名】０１２９
【補正方法】変更
【補正の内容】
【０１２９】
好ましい態様を参照して本発明を特に示し且つ記載したが、本発明の範囲から逸脱することなく種々の変更及び修正を行うことができることは、当業者には容易に認められるであろう。特許請求の範囲は、開示されている態様、上記で議論したこれらの代替物、及びこれに対する全ての均等物をカバーするように解釈すると意図される。
本発明は以下の態様を含む。
［１］
０より多く約９９重量％までの有効量の化合物：シス−１，１，１，４，４，４−ヘキサフルオロ−２−ブテン（Ｚ−ＨＦＯ−１３３６ｍｚｚｍ）、及び約１重量％乃至１００重量％未満の有効量の、水、フルオロケトン、アルコール、ヒドロクロロフルオロオレフィン、及びこれらの２以上の組合せからなる群から選択される他の材料を含む共沸混合物様の組成物。
［２］
少なくとも１種類のアルコールがメタノールである、［１］に記載の共沸混合物様の組成物。
［３］
少なくとも１種類のアルコールがエタノールである、［１］に記載の共沸混合物様の組成物。
［４］
約７５重量％乃至１００重量％未満の有効量のＺ−ＨＦＯ−１３３６ｍｚｚｍ、及び０より多く約２５重量％までの有効量のアルコール及びこれらの２以上の組合せを含む、［１］に記載の共沸混合物様の組成物。
［５］
約８５重量％乃至１００重量％未満の有効量のＺ−ＨＦＯ−１３３６ｍｚｚｍ、及び０より多く約１５重量％までの有効量のアルコール及びこれらの２以上の組合せを含む、［１］に記載の共沸混合物様の組成物。
［６］
０より多く約５０重量％までの有効量の水、及び約５０重量％乃至１００重量％未満の有効量のＺ−ＨＦＯ−１３３６ｍｚｚｍを含む、［１］に記載の共沸混合物様の組成物。
［７］
０より多く約１０重量％までの有効量の水、及び約９０重量％乃至１００重量％未満の有効量のＺ−ＨＦＯ−１３３６ｍｚｚｍを含む、［１］に記載の共沸混合物様の組成物。
［８］
５０重量％〜約９９重量％の有効量のＺ−ＨＦＯ−１３３６ｍｚｚｍ、及び約１重量％乃至５０重量％未満の有効量のフルオロケトンを含む、［１］に記載の共沸混合物様の組成物。
［９］
６０重量％〜約９５重量％の有効量のＺ−ＨＦＯ−１３３６ｍｚｚｍ、及び約５重量％乃至４０重量％未満の有効量のフルオロケトンを含む、［１］に記載の共沸混合物様の組成物。
［１０］
約１重量％〜約９９重量％の有効量のＺ−ＨＦＯ−１３３６ｍｚｚｍ、及び約１重量％〜約９９重量％の有効量のトランス−１，１，１−トリフルオロ−３−クロロプロペンを含む、［１］に記載の共沸混合物様の組成物。
［１１］
約９０重量％〜約９９重量％のＺ−ＨＦＯ−１３３６ｍｚｚｍ、及び約１重量％〜約１０重量％のトランス−１，１，１−トリフルオロ−３−クロロプロペンを含む、［１］に記載の共沸混合物様の組成物。
［１２］
約４重量％のＺ−ＨＦＯ−１３３６ｍｚｚｍ、及び約９６重量％のトランス−１，１，１−トリフルオロ−３−クロロプロペンを含む、［１］に記載の共沸混合物様の組成物。
［１３］
ＨＦＯ−１２３３ｚｄ、及び約１０重量％以下のＺ−ＨＦＯ−１３３６ｍｚｚｍを含む、［１］に記載の共沸混合物様の組成物。
［１４］
［１］に記載の共沸混合物様の組成物を含む噴霧フォーム用の発泡剤。
［１５］
［１］に記載の共沸混合物様の組成物を含む冷媒組成物。